(57)【特許請求の範囲】
【請求項１】
１巻線型のコイルがコイル枠に巻装されコイルへの通電方向に応じてプランジャが進退する有極電磁石と、コイル枠に突設された一対の支持片と、一対の支持片にそれぞれ設けた軸挿通孔に挿通される軸ピンを中心として回転自在に軸支され軸ピンとは異なる位置でプランジャに結合されていてプランジャの進退に応じて軸ピンの回りに回転する絶縁材料よりなる連動レバーと、連動レバーに保持され一端部に可動接点を備える複数個の可動接触子と、各可動接点に離接する複数個の固定接点とをケース内に備え、軸ピンを、各支持片の軸挿通孔に両側部がそれぞれ挿通される１本の軸体で構成し、可動接触子と軸ピンとの間の絶縁距離を確保するための絶縁手段を設けたことを特徴とするリモコンリレー。
【請求項２】
上記軸ピンは金属で形成され、上記絶縁手段は、可動接触子と軸ピンとの間の連動レバーの部位に設けた絶縁壁からなることを特徴とする請求項１記載のリモコンリレー。
【請求項３】
上記絶縁壁は連動レバーと一体に形成されたことを特徴とする請求項２記載のリモコンリレー。
【請求項４】
上記絶縁手段は、絶縁性を有する材料で形成した軸ピンからなることを特徴とする請求項１記載のリモコンリレー。
【請求項５】
軸ピンの両端が嵌合固定される嵌合凹部をケース内面に設けたことを特徴とする請求項１乃至４の何れか１つに記載のリモコンリレー。
【請求項６】
複数個の可動接触子の間を仕切る仕切板を連動レバーに設けたことを特徴とする請求項１乃至５の何れか１つに記載のリモコンリレー。
【請求項７】
可動接点に電気的に接続され第１の端子ねじが螺合する第１の端子板と、固定接点に電気的に接続され第２の端子ねじが螺合する第２の端子板とを、ケースの高さ方向において位置をずらした状態で、両端子板にねじ止めされる電線が引き出される方向に並べて配置し、ケースの高さ方向において下側に対置された端子板を、上側に配置された端子板に電線が接続された状態でも斜め上方から端子ねじに工具を挿入できるように、上側に配置された端子板に対して傾斜させたことを特徴とする請求項１乃至６の何れか１つに記載のリモコンリレー。
【発明の詳細な説明】
【０００１】
【発明の属する技術分野】
本発明は、リモコンリレーに関するものである。
【０００２】
【従来の技術】
従来より、図２２乃至図２４に示すように、１巻線型のコイル２５への通電方向を切り換えることによってプランジャ２７が進退する有極電磁石２０を備え、プランジャ２７の進退に伴って主接点を開閉し、かつプランジャ２７の進退に伴ってコイル２５への給電経路に挿入した逆流阻止要素としてのダイオードの極性を逆にすることによって、プランジャ２７の突出時にはプランジャ２７を引退させる方向にのみコイル２５への通電を許可し、プランジャ２７の引退時にはプランジャ２７を突出させる方向にのみコイル２５への通電を許可するようにしたリモコンリレーが提供されている（例えば特開平６−２０３７１６号公報参照）。
【０００３】
この種のリモコンリレーにおいて複数極の主接点を有するものでは、絶縁材料よりなる連動レバー３１に各極の可動接触子４０を保持させており、連動レバー３１は軸ピン３２によってプランジャ２７の一端部に回転自在に結合されている。また、連動レバー３１は、有極電磁石２０のコイル枠２６の外周面に突設された一対の支持片２６ａ，２６ａを通して挿入される金属製の２本の軸ピン３３により回転自在に軸支されており、軸ピン３２と軸ピン３３とは互いに平行になっているので、プランジャ２７が往復移動すれば、連動レバー３１は軸ピン３３を中心として揺動する。而して、プランジャ２７の進退に応じて連動レバー３１が軸ピン３３の回りに回転すると、可動接触子４０に固着された可動接点４１とケース１０に固定された固定接点５１とが接触又は開離し、複数極の可動接触子４０を１個の有極電磁石２０で駆動できるようにしてある。
【０００４】
ここで、各軸ピン３３はそれぞれ支持片２６ａを通して連動レバー３１に挿入され、両軸ピン３３は一直線上に配列されるが、連動レバー３１の内部では両軸ピン３３が互いに接触しないように長さ寸法が設定されている。そして、連動レバー３１の内部では両軸ピン３３の間に連動レバー３１の構成材料である合成樹脂が存在していて両軸ピン３３間は絶縁されている。
【０００５】
【発明が解決しようとする課題】
上記構成のリモコンリレーでは、連動レバー３１の支点となる軸ピン３３が金属で形成されており、両可動接触子４０間の絶縁距離を確保するために、軸ピン３３を２本に分けているので、部品点数が増加するという問題があった。また、軸ピン３３はそれぞれ支持片２６ａに形成された軸挿通孔２６ｃ内に挿入されているだけなので、従来のリモコンリレーでは、軸ピン３３の端部にローレット加工を施し、ローレット加工の施された軸ピン３３の端部３３ａと軸挿通孔２６ｃの内面とを係合させることによって、軸ピン３３を固定していた。そのため、軸ピン３３にローレット加工を施す必要があり、コストアップとなるという問題があった。しかも、軸ピン３３はケース１０に対して位置決めされていないため、連動レバー３１の位置がばらついて、動作が不安定になる虞があった。
【０００６】
また、可動接点４１に電気的に接続され端子ねじ４４が螺着される端子板４３と、固定接点５１に電気的に接続され端子ねじ５５が螺着される端子板５４とは、ケース１０の長手方向において位置をずらした状態で、ケース１０の高さ方向において上下２段に並べて配置されており、端子板４３と端子板５４とは略平行に配置されているため、図２５に示すように、端子板４３及び端子板５４にそれぞれ螺合する端子ねじ４４，５５により、端子板４３及び端子板５４に電線が接続されている状態では、上側の端子板４３に接続された電線が邪魔になって、下側の端子板５４に接続された電線の接続状態を確認できないという問題があり、しかもプラスドライバーなどの工具６０を下側の端子板５４に螺着された端子ねじ５５に差し込むことができず、配線作業がやりにくいという問題もあった。
【０００７】
本発明は上記問題点に鑑みて為されたものであり、その目的とするところは、部品点数を削減するとともに、絶縁性能を向上させたリモコンリレーを提供することにある。また、請求項５の発明の目的は、上記目的に加えて、動作特性の安定したリモコンリレーを提供することにあり、請求項７の発明の目的は、上記目的に加えて、電線の接続状態を容易に確認できるリモコンリレーを提供することにある。
【０００８】
【課題を解決するための手段】
上記目的を達成するために、請求項１の発明では、１巻線型のコイルがコイル枠に巻装されコイルへの通電方向に応じてプランジャが進退する有極電磁石と、コイル枠に突設された一対の支持片と、一対の支持片にそれぞれ設けた軸挿通孔に挿通される軸ピンを中心として回転自在に軸支され軸ピンとは異なる位置でプランジャに結合されていてプランジャの進退に応じて軸ピンの回りに回転する絶縁材料よりなる連動レバーと、連動レバーに保持され一端部に可動接点を備える複数個の可動接触子と、各可動接点に離接する複数個の固定接点とをケース内に備え、軸ピンを、各支持片の軸挿通孔に両側部がそれぞれ挿通される１本の軸体で構成し、可動接触子と軸ピンとの間の絶縁距離を確保するための絶縁手段を設けたことを特徴とし、連動レバーには複数個の可動接触子が保持されており、プランジャの進退に応じて連動レバーが軸ピンの回りを回転することにより、可動接点と固定接点とが離接するので、複数個の可動接触子を１個の有極電磁石で駆動することができ、且つ、可動接触子と軸ピンとの間の絶縁距離を確保する絶縁手段を設けているので、可動接触子と軸ピンとの間の絶縁距離を大きくとることができ、複数個の可動接触子の間で軸ピンを通る電路が形成されないから、複数個の可動接触子の間の絶縁性を高めることができ、さらに絶縁手段により可動接触子と軸ピンとの間の絶遠距離を確保しているので、軸ピンを１本の軸体で構成することができ、可動接触子間の絶縁距離を確保するために軸ピンを複数本の軸体で構成した場合に比べて、部品数が少なくなり、組立作業性を向上させることができる。
【０００９】
請求項２の発明では、請求項１の発明において、上記軸ピンは金属で形成され、上記絶縁手段は、可動接触子と軸ピンとの間の連動レバーの部位に設けた絶縁壁からなることを特徴とし、絶縁壁が可動接触子と軸ピンとの間の連動レバーの部位に設けられているので、可動接触子と軸ピンとの間の絶縁距離を大きくとることができ、複数個の可動接触子の間で軸ピンを通る電路が形成されないから、複数個の可動接触子の間の絶縁性が向上し、且つ、絶縁壁により可動接触子と軸ピンとの間の絶遠距離を確保しているので、軸ピンを金属で形成することができ、軸ピンの強度を高めることができる。
【００１０】
請求項３の発明では、請求項２の発明において、上記絶縁壁は連動レバーと一体に形成されたことを特徴とし、絶縁壁は連動レバーと一体に形成されているので、部品数が少なくなり、組立作業性が向上する。
【００１１】
請求項４の発明では、請求項１の発明において、上記絶縁手段は、絶縁性を有する材料で形成した軸ピンからなることを特徴とし、軸ピンは絶縁性を有する材料で形成されているので、複数個の可動接触子の間で軸ピンを通る電路が形成されることはなく、複数個の可動接触子の間の絶縁距離を大きくとることができ、且つ、絶縁性を有する材料で軸ピンを形成しているので、軸ピンを１本の軸体で形成することができ、部品数を少なくして、組立作業性を向上させることができる。
【００１２】
請求項５の発明では、請求項１乃至４の発明において、軸ピンの両端が嵌合固定される嵌合凹部をケース内面に設けたことを特徴とし、軸ピンの両端はケース内面の嵌合凹部に嵌合固定されるので、ケースに軸ピンを位置決めすることができ、ケース内における軸ピンの位置のばらつきが低減し、リモコンリレーの動作特性を安定させることができる。
【００１３】
請求項６の発明では、請求項１乃至５の発明において、複数個の可動接触子の間を仕切る仕切板を連動レバーに設けたことを特徴とし、仕切板によって複数個の可動接触子の間が電気的に絶縁されるので、複数個の可動接触子の間の絶縁距離を大きくとることができる。
【００１４】
請求項７の発明では、請求項１乃至６の発明において、可動接点に電気的に接続され第１の端子ねじが螺合する第１の端子板と、固定接点に電気的に接続され第２の端子ねじが螺合する第２の端子板とを、ケースの高さ方向において位置をずらした状態で、両端子板にねじ止めされる電線が引き出される方向に並べて配置し、ケースの高さ方向において下側に対置された端子板を、上側に配置された端子板に電線が接続された状態でも斜め上方から端子ねじに工具を挿入できるように、上側に配置された端子板に対して傾斜させたことを特徴とし、第１及び第２の端子板はケースの高さ方向において位置をずらした状態で配置されているので、第１及び第２の端子板を同一平面内に並設する場合に比べて、第１及び第２の端子板の設置スペースを小さくでき、且つ、第１及び第２の端子板の内、下側の端子板を、上側の端子板に電線が接続された状態でも斜め上方から端子ねじに工具を挿入できるように、上側の端子板に対して傾斜させているので、斜め上方から下側の端子板に螺合された端子ねじにドライバなどの工具を差し込むことができ、ねじ締めの確認を容易に行うことができる。
【００１５】
【発明の実施の形態】
本発明の実施の形態を図面を参照して説明する。
【００１６】
（実施形態１）
本実施形態のリモコンリレーについて図１乃至図９を参照して説明する。図１はリモコンリレーの分解斜視図を示しており、リモコンリレーのケース１０は、分電盤協約寸法として規格化されている１個モジュール寸法（単位寸法）に設定されており、側面が開口した箱状のボディ１１と、ボディ１１の開口面を覆うカバー１２とからなる。ボディ１１とカバー１２とは、ボディ１１およびカバー１２に形成した組立孔１３，１４にかしめピン１５を挿通し、ボディ１１におけるカバー１２とは反対側の側面に突出するかしめピン１５の先端部をかしめることによって一体に結合される。また、ケース１０にはマイクロスイッチからなる補助接点を収納するための補助スペース１６が形成され、この補助スペース１６に補助接点を収納しないときには補助スペース１６の開口を閉塞するように閉塞板１７が装着される。
【００１７】
ケース１０の中には有極電磁石２０が収納される。有極電磁石２０は、図１、図２及び図８に示すように、略コ字形に形成された２個のヨーク２１を備え、２個のヨーク２１は両脚片の先端面間にギャップ２２を介して対向するように配置される。各ヨーク２１の中央片には永久磁石２３の一方の磁極が当接し、永久磁石２３の他方の磁極には補助ヨーク２４が結合される。補助ヨーク２４はコイル２５を巻装したコイル枠２６を囲むように配設され、コイル枠２６の中にはプランジャ２７がコイル枠２６の軸方向に進退自在に挿通される。またプランジャ２７には進退時にヨーク２１または補助ヨーク２４に当接してプランジャ２７の移動範囲を規制し、且つ磁気回路を形成する２枚の接極子２８が固着されている。コイル２５は１巻線型であって、コイル２５への通電方向に応じてプランジャ２７が進退し、且つプランジャ２７は永久磁石２３の磁力で停止位置に保持される。すなわち、停止位置では、永久磁石２３−補助ヨーク２４−接極子２８−プランジャ２７−接極子２８−ヨーク２１−永久磁石２３という経路の閉磁路が形成され、プランジャ２７がその位置に保持されるのである。接極子２８においてヨーク２１との接触面には、薄板状の非磁性体よりなるレシジュアルプレート２８ａが固着され、接極子２８がヨーク２１に吸引された状態から容易に離脱できるようにしてある。有極電磁石２０は、ボディ１１におけるカバー１２との対向面に突設された仕切片１１ｆ，１１ｇの間に配設され、板ばねよりなる緩衝ばね１９が仕切片１１ｇと有極電磁石２０との間に挟装されることによって、有極電磁石２０が仕切片１１ｆに押し付けられた形で固定される。したがって、緩衝ばね１９によって有極電磁石２０が固定されるとともに、プランジャ２７の進退に伴う振動が緩衝ばね１９によって緩和されることになる。
【００１８】
プランジャ２７の進退方向の一端部には、絶縁材料である合成樹脂よりなる連動レバー３１が、軸ピン３２によって回転自在に結合される。プランジャ２７の一端部は連動レバー３１に形成された凹溝３１ｂに挿入される。凹溝３１ｂの中には軸受突片３１ｃが立設されており、この軸受突片３１ｃに穿設された軸挿通孔３１ｈ内に挿通される軸ピン３２によってプランジャ２７が軸受突片３１ｃに軸着される。また、有極電磁石２０のコイル枠２６の外周面には一対の支持片２６ａ，２６ａが突設され、各支持片２６ａには軸挿通孔２６ｃ，２６ｃが形成されており、この軸挿通孔２６ｃ，２６ｃと連動レバー３１を貫通する貫通孔３１ｆとに１本の軸ピン３３を挿通することによって、連動レバー３１が軸ピン３３を中心として回転自在に軸支される。
【００１９】
また、連動レバー３１は仕切板３１ａを有しており、仕切板３１ａの左右両側面にそれぞれ接触子保持台３１ｄが一体に突設され、接触子保持台３１ｄには上記凹溝３１ｂが形成される。仕切板３１ａの両側面には、接触子保持台３１ｄとの対向面が開口する略コ字形に形成されたばね受け突部３１ｅも突設される。ばね受け突部３１ｅは、コイルばねよりなる接圧ばね３４の一端部を保持する。接圧ばね３４の他端は、接触子保持台３１ｄとばね受け突部３１ｅとの間に挿入される可動接触子４０に弾接する。すなわち、２個の可動接触子４０が１つの連動レバー３１に保持されるのである。
【００２０】
ところで、軸ピン３３は金属製であって、ボディ１１とカバー１２との間の距離よりも若干長い寸法に形成されており、軸ピン３３の一端はボディ１１の内面に形成された嵌合凹所１１ｈに、他端はカバー１２の内面に形成された嵌合凹所１２ａにそれぞれ圧入され、ボディ１１とカバー１２との間に軸ピン３３が固定される。ここで、可動接触子４０と軸ピン３３との間の連動レバー３１の部位には、絶縁壁３１ｇが連動レバー３１と一体に形成されており、絶縁壁３１ｇによって可動接触子４０と軸ピン３３との間の絶縁性が向上するので、一対の可動接触子４０の間で軸ピン３３を通る電路が形成されることはなく、一対の可動接触子４０の間の絶縁距離を大きくとることができる。このように、絶縁壁３１ｇを設けることによって軸ピン３３と可動接触子４０との間の絶縁距離を大きくとっているので、軸ピン３３を１本の軸体で構成することができ、従来のリモコンリレーのように軸ピン３３を２本に分け、両軸ピン３３間を絶縁する場合に比べて、部品数が少なくなり、組立作業性が向上する。また、軸ピン３３の両端はそれぞれボディ１１及びカバー１２内面の嵌合凹所１１ｈ，１２ａに圧入され、ボディ１１とカバー１２との間で軸ピン３３を挟持しているので、従来のリモコンリレーのように軸ピン３３を支持片２６ａの軸挿通孔２６ｃ内に固定するために、軸ピン３３の端部にローレット加工を施す必要がなく、軸ピン３３の製造コストを低減でき、さらに、軸ピン３３がケースに位置決めされるので、連動レバー３１の取付位置のばらつきが少なくなり、動作特性のばらつきが低減する。
【００２１】
ところで、連動レバー３１に保持される可動接触子４０は短冊状であって、長手方向の一端部に可動接点４１が固着され、他端部に編組銅線よりなる接続線４２を介して端子板４３が接続されている。この端子板４３には、座金付きの端子ねじ４４が螺合する。また、可動接触子４０の長手方向の中間部には接圧ばね３４の座となる突部４５が形成され、突部４５よりも下方には位置決め孔４６が穿孔されている。位置決め孔４６には連動レバー３１に突設された位置決め突起３５が挿通される。連動レバー３１には位置決め突起３５の側方に表面が湾曲して可動接触子４０が当接する支点突起３６が突設されており、この支点突起３６に可動接触子４０が当接するようになっている。可動接触子４０において可動接点４１よりも下方の端部には可動電磁鉄片４７が固着される。また、連動レバー３１の上端には、ケース１０に開口する表示窓１０ａに臨む表示片３８が一体に設けられ、表示片３８には「ＯＮ」、「ＯＦＦ」の文字が表記されている。さらに、表示片３８において「ＯＮ」、「ＯＦＦ」の文字の間であって、表示窓１０ａから常時露出している部位には、操作溝３８ａが形成され、ドライバの先端部などの工具を表示窓１０ａに挿入して操作溝３８ａに係合させることによって、連動レバー３１をケース１０の外部から手操作で操作できるようにしてある。
【００２２】
可動接点４１に離接する固定接点５１は、導電性の板金を折曲して形成されケース１０に固定された固定端子板５０の一端部に固着され、固定端子板５０の他端部はケース１０の外部に露出する。固定端子板５０は固定接点５１を設けた一端部から可動接触子４０に沿って下方に向かう接点片５２を備え、接点片５２の下端部には可動電磁鉄片４７に対向するように固定電磁鉄片５３が固着されている。また、ケース１０の外方に突出する端子板５４には座金付きの端子ねじ５５が螺合している。ここで、可動接触子４０および固定端子板５０は２個ずつケース１０に収納されているのであって主接点は２極に構成されることになる。
【００２３】
ケース１０において可動接触子４０および固定端子板５０を収納している部位には、ケース１０の幅方向の略中央部に隔壁１８が立設される。ボディ１１の下壁における隔壁１８に対応する部位にはカバー１２側が下がった段部１１ａが形成され、段部１１ａに隔壁１８の下端部を当接させるとともに、隔壁１８の下端の一面側に突設された横片１８ａをボディ１１の下壁に載置することによって隔壁１８の位置決めがなされるようにしてある。ここに、ボディ１１において隔壁１８が載置される部位の下壁はボディ１１の長手方向（図２の左右方向）において段を形成しており、隔壁１８の横片１８ａがこの下壁に沿うように屈曲していることによって、ボディ１１の長手方向においても隔壁１８の位置決めがなされている。また、隔壁１８は、かしめピン１５が挿通される部位に穿設された貫通孔１８ｅに、ボディ１１に突設されたボス１１ｅが挿通されることによっても位置決めされている。
【００２４】
ボディ１１における隔壁１８との対向面には２極のうちの一方の端子板４３および端子板５４がそれぞれ載置される２つの端子基台１１ｂ，１１ｃが突設され、隔壁１８におけるカバー１２との対向面には２極のうちの他方の端子板４３および端子板５４がそれぞれ載置される２つの端子基台１８ｂ，１８ｃが突設される。端子基台１１ｂ，１８ｂと端子基台１１ｃ，１８ｃとは、上下２段に配置されており、可動接点４１に接続された端子板４３と固定接点５１に接続された端子板５４とは異なる高さ位置に配置されるようにしてある。ボディ１１における隔壁１８との対向面には仕切片１１ｄが突設され、隔壁１８において仕切片１１ｄに対応する部位にもカバー１２に向かって仕切片１８ｄが突設されている。さらに、ボディ１１におけるカバー１２との対向面には隔壁１８の一部が当接する仕切片１１ｆが突設されている。端子板４３は、端子基台１１ｂ，１８ｂと仕切片１１ｄ，１８ｄの下面とによって固定され、端子板５４は端子基台１１ｂ，１８ｂと端子基台１１ｃ，１８ｃとによって固定されることになる。また、仕切片１１ｆは、可動接点４１と固定接点５１との開極時に発生するアークによる有極電磁石２０への悪影響を軽減する。
【００２５】
ところで、このリモコンリレーではコイル２５が１巻線型であるので、プランジャ２７を進退させるには、コイル２５への通電方向を反転させることが必要である。図９はリモコンリレーの内部回路図を示しており、コイル２５には２種類の給電経路を択一的に選択する切換接点ｒが接続されており、切換接点ｒにより選択された各給電経路にはそれぞれ逆流阻止要素としてのダイオードＤ１，Ｄ２が接続されている。ダイオードＤ１，Ｄ２における切換接点ｒとは反対側の端子は共通に接続される。ダイオードＤ１，Ｄ２は各給電経路を通過する電流が互いに逆向きになる関係に接続されているのであって、一方の給電経路で切換接点ｒ→コイル２５という向きの電流を通過させるとすれば、他方の給電経路ではコイル２５→切換接点ｒという向きの電流を通過させるようになっている。また、一方のダイオードＤ２のアノードと切換接点ｒの共通接点との間にはコンデンサ及び抵抗の直列回路であるリセット用の微分回路が接続される。この回路構成によって、有極電磁石２０のコイル２５への通電方向の切換により、可動接点４１と固定接点５１とからなる主接点ｒ１，ｒ２を開閉することができるのである。
【００２６】
このようにコイル２５への通電方向が切換接点ｒにより選択されるから、コイル２５への通電時にプランジャ２７の進退の位置を逆転させるような通電方向が選択されるように、切換接点ｒをプランジャ２７の進退に応じて切り換える必要がある。すなわち、プランジャ２７の進退と切換接点ｒとを連動させる必要がある。そこで、本実施形態では、連動レバー３１に接点操作片３７を突設し、この接点操作片３７によって切換接点ｒの切換操作を行うようにしてある。
【００２７】
切換接点ｒは、有極電磁石２０の上面に載置される接点基板６１を備え、接点基板６１には２枚の固定接点板６２ａ，６２ｂと、各固定接点板６２ａ，６２ｂにそれぞれ対向する可動接点板６３ａ，６３ｂとが固定される。接点基板６１は周部の要所に切欠６１ａを有し、有極電磁石２０のコイル枠２６の外周面から上方に突設された固定爪２６ｂが切欠６１ａに係合することによって、有極電磁石２０に対する位置決めがなされている。両可動接点板６３ａ，６３ｂは一端部が略コ字形の接点支持板６４の各脚片に固着されていて互いに電気的に接続され、各可動接点板６３ａ，６３ｂは対応する固定接点板６２ａ，６２ｂに対して接触する向きのばね力を有している。連動レバー３１の接点操作片３７は両可動接点板６３ａ，６３ｂの間に挿入されているのであって、連動レバー３１がプランジャ２７の進退に伴って揺動すると、連動レバー３１の両端末位置ではいずれか一方の可動接点板６３ａ，６３ｂが固定接点板６２ａ，６２ｂに接触し、他方の可動接点板６３ａ，６３ｂが固定接点板６２ａ，６２ｂから離れるようになっている。
【００２８】
固定接点板６２ａ，６２ｂおよび可動接点板６３ａ，６３ｂは、接点基板６１に取着したプリント配線基板よりなる回路基板６５に電気的に接続される。回路基板６５には上述したダイオードやリセット用の微分回路の回路部品が実装される。さらに、接点基板６１には一対のコイル端子板６６が固定され、各コイル端子板６６には座金付の端子ねじ６７が螺合する。したがって、コイル端子板６６を通して入力される外部信号を受けてコイル２５に通電すると、通電方向に応じてプランジャ２７が進退するのである。ここに、両コイル端子板６６は上下にずれた位置に配設されている。また、接点基板６１の上面には、固定接点板６２ａ，６２ｂおよび可動接点板６３ａ，６３ｂと回路基板６５とを仕切り、またコイル端子板６６と他の部材との間を仕切るように仕切片６１ｂが突設される。
【００２９】
次に動作を説明する。まず、プランジャ２７が突出する向きにコイル２５に通電したとすると、プランジャ２７の突出に伴って、連動レバー３１は軸ピン３３を中心として図２中右回りに回転し、可動接点４１が固定接点５１に接触する。ここで、可動接触子４０は支点突起３６に当接しており、接圧ばね３４によって支点突起３６を中心として右回りに付勢されているから、可動接点４１の固定接点５１に対する接触圧が接圧ばね３４によって得られることになる。この時、図２に示すように、可動接点板６３ｂは固定接点板６２ｂから離れ、可動接点板６３ａが固定接点板６２ａに接触し、コイル２５への通電方向としてプランジャ２７を引退させる向きの電流のみが許可された状態になる。尚、可動接点４１が固定接点５１に接触した状態では、コイル２５への通電を停止しても永久磁石２３の磁力によってその状態が保持される。
【００３０】
次に、コイル２５への通電方向を反転させると、プランジャ２７が引退し、連動レバー３１が軸ピン３３を中心として図２中左回りに回転するから、可動接点４１が固定接点５１から離れて主接点が開極することになる。主接点の開極時にはアークが発生するが、両可動接点４１の間に隔壁１８が存在していることによって隣接する主接点間の絶縁距離が大きくなり、しかも、隣接する可動接触子４０の間には連動レバー３１の仕切板３１ａが存在していることによって、可動接触子４０の間についても絶縁距離が大きくなっている。ここにおいて、主接点の閉極時において短絡電流のようなきわめて過大な電流が主接点を通過したときに、主接点がわずかでも開極するとアークが生じて主接点の周辺部が溶融したり、急激な熱膨張によってケース１０が破裂する可能性があるので、短絡電流のような過大電流の通過時には可動電磁鉄片４７と固定電磁鉄片５３との間に電磁力による吸引力を作用させて、可動接点４１が固定接点５１から離れることがないように保持するのである。
【００３１】
ところで、上述したようにケース１０の補助スペース１６には補助接点となる小型スイッチ７０が収納される。小型スイッチ７０は、絶縁材料である合成樹脂よりなる取付フレーム７１に装着された形でケース１０に収納される。この取付フレーム７１は略平行な２枚の仕切板７２を連結板７３の一面に一体に結合した形状に形成され、両仕切板７２によって３個の端子板７４ａ，７４ｂ，７４ｃを互いに分離するようになっている。各端子板７４ａ，７４ｂ，７４ｃには座金付きの端子ねじ７５ａ，７５ｂ，７５ｃが螺合し、各端子板７４ａ，７４ｂ，７４ｃには小型スイッチ７０の端子７０ａがそれぞれ電気的に接続される。ここに、小型スイッチ７０は共通接点と常開接点と常閉接点とを備えたｃ接点を有し、小型スイッチ７０の一面には操作子７０ｂが設けられている。この操作子７０ｂを押操作すれば共通接点と常開接点とが短絡され、押操作を停止すれば共通接点と常閉接点とが短絡されるようになっている。操作子７０ｂは、有極電磁石２０のプランジャ２７において連動レバー３１との結合部位とは反対側の端部に対向して配置され、プランジャ２７の進退に伴って操作子７０ｂが操作されるようになっている。すなわち、可動接点４１と固定接点５１とからなる主接点が閉極した状態では操作子７０ｂは押操作されないから、共通接点と常閉接点とが短絡し、主接点が開極すると操作子７０ｂが押操作されて、共通接点と常開接点とが短絡するのである。
【００３２】
（実施形態２）
本実施形態のリモコンリレーについて図１０乃至図１２を参照して説明する。実施形態１のリモコンリレーでは、軸ピン３３を金属で形成するとともに、可動接触子４０と軸ピン３３との間の連動レバー３１の部位に絶縁壁３１ｇを設けているが、本実施形態のリモコンリレーでは、軸ピン３３を絶縁性を有する合成樹脂で形成している。また、軸ピン３３は絶縁性を有する材料から形成されているので、実施形態１のリモコンリレーのように、可動接触子４０と軸ピン３３との間を絶縁する絶縁壁３１ｇを設ける必要はない。尚、軸ピン３３及び連動レバー３１以外の構成は実施形態１のリモコンリレーと同様であるので、同一の構成要素には同一の符号を付して、その説明を省略する。
【００３３】
本実施形態では、軸ピン３３を絶縁性を有する合成樹脂から形成しており、軸ピン３３はボディ１１とカバー１２との間の距離よりも若干長い寸法に形成されている。有極電磁石２０のコイル枠２６の外周面には一対の支持片２６ａ，２６ａが突設され、各支持片２６ａには軸挿通孔２６ｃがそれぞれ形成されており、軸挿通孔２６ｃ，２６ｃを通して、連動レバー３１を貫通する貫通孔３１ｆに軸ピン３３を挿通することによって、連動レバー３１は軸ピン３３を中心として回転自在に軸支される。この時、軸ピン３３の両端部は各支持片２６ａの端面から突出しており、連動レバー３１が取り付けられた有極電磁石２０をケース１０内部に収納すると、軸ピン３３の一端はボディ１１内面の嵌合凹所１１ｈに、他端はカバー１２内面の嵌合凹所１２ａにそれぞれ圧入されており、ボディ１１とカバー１２との間に軸ピン３３が挟持される。
【００３４】
ここで、軸ピン３３は絶縁性を有する合成樹脂から形成されているので、可動接触子４０と軸ピン３３との間の絶縁性が向上し、一対の可動接触子４０の間で軸ピン３３を通る電路が形成されることはなく、一対の可動接触子４０の間の絶縁距離を大きくとることができる。このように、軸ピン３３を絶縁性を有する合成樹脂から形成することによって、両可動接触子４０間の絶縁距離を確保しているので、軸ピン３３を１本の軸体で構成することができ、従来のリモコンリレーのように軸ピン３３を２本に分け、両軸ピン３３間を絶縁する場合に比べて、部品数が少なくなり、組立作業性が向上する。また、軸ピン３３の両端はそれぞれボディ１１及びカバー１２内面の嵌合凹所１１ｈ，１２ａに圧入され、ボディ１１とカバー１２との間で軸ピン３３を挟持しているので、従来のリモコンリレーのように軸ピン３３を支持片２６ａの軸挿通孔２６ｃ内に固定するために、軸ピン３３の端部にローレット加工を施す必要がなく、軸ピン３３の製造コストを低減でき、且つ、軸ピン３３がケースに位置決めされるので、連動レバー３１の取付位置のばらつきが少なくなり、動作特性のばらつきが低減する。
【００３５】
（実施形態３）
本実施形態のリモコンリレーについて図１３乃至図１７を参照して説明する。上述した実施形態１又は２のリモコンリレーでは、可動接点４１に電気的に接続された端子板４３と、固定接点５１に電気的に接続された端子板５４とは、ケース１０の長手方向における一端部に、ケース１０の長手方向において同一直線上に並べて配置されると共に、ケースの高さ方向において高さをずらして配置されており、端子板４３と端子板５４とは略平行に配置されているが、本実施形態では、実施形態２のリモコンリレーにおいて、下側の端子板（第２の端子板）５４を、上側の端子板（第１の端子板）４３に対して、上側の端子板４３に電線が接続された状態でも斜め上方から端子ねじ５５に工具を挿入できるように傾斜させた状態で配置している。すなわち、端子ねじ端子板５４は端子板４３に対して斜め前方に傾斜している。また、本実施形態ではケース１０内に補助接点となる小型スイッチ７０を収納しておらず、補助スペース１６の開口を閉塞板１７で閉塞してある。尚、端子板５４の配置以外は実施形態２のリモコンリレーと同様であるので、同一の構成要素には同一の符号を付して、その説明を省略する。
【００３６】
上側の端子板４３はケース１０上面に対して略平行に配置されているので、端子ねじ（第１の端子ねじ）４４により端子板４３に接続された電線はケース１０上面に対して略平行な方向に引き出される。一方、下側の端子板５４は上側の端子板４３に対して傾斜させた状態でケース１０に取り付けられており、端子ねじ（第２の端子ねじ）５５により端子板５４にねじ止めされた電線は斜め下向きに引き出されるようになっている。上述のように下側の端子板５４は上側の端子板４３に対して傾斜しているので、上側の端子板４３に電線が接続されている状態でも、下側の端子板５４に螺合する端子ねじ５５に斜め上方からプラスドライバーなどの工具６０を差し込むことができ、ねじ締めの確認を容易に行うことができる。尚、本実施形態では、実施形態２のリモコンリレーにおいて、下側の端子板５４を上側の端子板４３に対して傾斜させた状態で配置しているが、実施形態１のリモコンリレーにおいて、下側の端子板５４を上側の端子板４３に対して、上側の端子板４３に電線が接続された状態でも端子ねじ５５に工具を挿入できるように傾斜させた状態で配置しても良く、同様の効果が得られる。
【００３７】
ところで、この種のリモコンリレーとしては、図１８及び図１９に示すように、図示しない電磁石装置を収納する角筒状のケース８０に、筒状をした補助接点収納部８１を付設し、補助接点収納部８１に一方の開口部から補助接点ブロック８２を嵌め込んで構成されるものもある。補助接点ブロック８２は、図１９（ａ）（ｂ）に示すように、合成樹脂製のベース８３と、導電性の金属板からなる可動端子板８４，８５と、導電性の金属板からなる固定端子板８６と、ばね弾性を有する導電性金属板からなる可動接点ばね８７などから構成されている。ベース８３には補助接点収納部８１への挿入方向に沿って走る嵌め込み溝８８ａ〜８８ｃが形成されている。中央の嵌め込み溝８８ｂには固定端子板８６が嵌め込まれており、固定端子板８６の両端部はベース８３に支持されている。両側の嵌め込み溝８８ａ，８８ｃには可動端子板８４，８５の後部がそれぞれ嵌め込まれ、可動端子板８４，８５は固定端子板８６に対して略平行に配置されている。また、固定端子板８６と対向する可動端子板８５の面には可動接点ばね８７がかしめ固定されている。固定端子板８６両面には固定接点８６ａが固着されており、ベース８３に形成された切欠部８３ａを介して、可動端子板８４及び可動接点ばね８７に設けた可動接点（図示せず）と対向している。
【００３８】
ここで、可動端子板８４，８５及び可動接点ばね８７の自由端はベース８３の先端面から突出しており、補助接点ブロック８２を補助接点収納部８１内に嵌め込んだ際に、可動端子板８４及び可動接点ばね８７の自由端は、電磁石装置への通電或いは手動操作に応じて揺動するレバー（図示せず）に弾接する。そして、電磁石装置への通電或いは手動操作に応じてレバーが揺動すると、レバーによって可動端子板８４及び可動接点ばね８７が押動され、可動端子板８４又は可動接点ばね８７に設けられた可動接点が固定接点８６ａと接触又は開離するのである。
【００３９】
ところで、補助接点ブロック８２は、補助接点収納部８１にベース８３を圧入することによってケース８０に固定されているだけなので、振動や衝撃によってベース８３が抜け、補助接点の動作特性が変化するという問題がある。そこで、図２０に示すように、補助接点収納部８１の表面に嵌合孔８１ａを形成するとともに、嵌合孔８１ａと嵌合する嵌合突起８３ｂをベース８３に形成しており、補助接点収納部８１内にベース８３を圧入すると、補助接点収納部８１の嵌合孔８１ａとベース８３の嵌合突起８３ｂとが凹凸嵌合し、ベース８３の抜け止めが行われるので、補助接点の動作特性が安定する。
【００４０】
また、図１９（ａ）（ｂ）に示す補助接点ブロック８２では、嵌め込み溝８８ａ，８８ｃにおける可動端子板８４，８５及び可動接点ばね８７の自由端側の開放端において、可動端子板８４，８５及び可動接点ばね８７が押し撓められる側の角部８３ｃ，８３ｄが略直角に形成されているので、可動端子板８４，８５及び可動接点ばね８７がレバーによって押し撓められると、その角部８３ｃ，８３ｄに荷重が集中し、発生する熱によって角部８３ｃ，８３ｄが変形して、補助接点の動作特性が変化するという問題があった。
【００４１】
そこで、図２１（ａ）（ｂ）に示すように、嵌め込み溝８８ａ，８８ｃにおける可動端子板８４，８５及び可動接点ばね８７の自由端側の開放端において、可動端子板８４及び可動接点ばね８７がレバーによって押し撓められる側の角部８３ｃ，８３ｄの断面形状を曲面形状に形成することによって、可動端子板８４，８５及び可動接点ばね８７がレバーによって押し撓められた場合でも、可動端子板８４，８５及び可動接点ばね８７の荷重が一点に集中して加わることがなく、角部８３ｃ，８３ｄが変形して補助接点の動作特性が変化するのを防止できる。
【００４２】
【発明の効果】
上述のように、請求項１の発明は、１巻線型のコイルがコイル枠に巻装されコイルへの通電方向に応じてプランジャが進退する有極電磁石と、コイル枠に突設された一対の支持片と、一対の支持片にそれぞれ設けた軸挿通孔に挿通される軸ピンを中心として回転自在に軸支され軸ピンとは異なる位置でプランジャに結合されていてプランジャの進退に応じて軸ピンの回りに回転する絶縁材料よりなる連動レバーと、連動レバーに保持され一端部に可動接点を備える複数個の可動接触子と、各可動接点に離接する複数個の固定接点とをケース内に備え、軸ピンを、各支持片の軸挿通孔に両側部がそれぞれ挿通される１本の軸体で構成し、可動接触子と軸ピンとの間の絶縁距離を確保するための絶縁手段を設けたことを特徴とし、連動レバーには複数個の可動接触子が保持されており、プランジャの進退に応じて連動レバーが軸ピンの回りを回転することにより、可動接点と固定接点とが離接するので、複数個の可動接触子を１個の有極電磁石で駆動することができ、且つ、連動レバーを軸支する軸ピンは１本の軸体で構成されているので、複数個の可動接触子の間の絶縁距離を向上させるために軸ピンを複数本の軸体で構成した場合に比べて、部品数を少なくでき、組立作業性を向上させることができ、さらに、可動接触子と軸ピンとの間の絶縁距離を確保する絶縁手段を設けているので、可動接触子と軸ピンとの間の絶縁距離を大きくとることができ、複数個の可動接触子の間で軸ピンを通る電路が形成されないから、複数個の可動接触子の間の絶縁性が向上するという効果がある。
【００４３】
請求項２の発明は、請求項１の発明において、上記軸ピンは金属で形成され、上記絶縁手段は、可動接触子と軸ピンとの間の連動レバーの部位に設けた絶縁壁からなることを特徴とし、軸ピンは金属で形成されているので、軸ピンの強度を高めることができ、且つ、絶縁壁が可動接触子と軸ピンとの間の連動レバーの部位に設けられているので、可動接触子と軸ピンとの間の絶縁距離を大きくとることができ、複数個の可動接触子の間で軸ピンを通る電路が形成されないから、複数個の可動接触子の間の絶縁性が向上するという効果がある。
【００４４】
請求項３の発明は、請求項２の発明において、上記絶縁壁は連動レバーと一体に形成されたことを特徴とし、絶縁壁は連動レバーと一体に形成されているので、部品数が少なくなり、組立作業性が向上するという効果がある。
【００４５】
請求項４の発明は、請求項１の発明において、上記絶縁手段は、絶縁性を有する材料で形成した軸ピンからなることを特徴とし、軸ピンは絶縁性を有する材料で形成されているので、複数個の可動接触子の間で軸ピンを通る電路が形成されることはなく、複数個の可動接触子の間の絶縁距離を大きくとれるという効果がある。
【００４６】
請求項５の発明は、請求項１乃至４の発明において、軸ピンの両端が嵌合固定される嵌合凹部をケース内面に設けたことを特徴とし、軸ピンの両端はケース内面の嵌合凹部に嵌合固定されるので、ケースに軸ピンを位置決めすることができ、ケース内における軸ピンの位置のばらつきが低減し、リモコンリレーの動作特性が安定するという効果がある。
【００４７】
請求項６の発明は、請求項１乃至５の発明において、複数個の可動接触子の間を仕切る仕切板を連動レバーに設けたことを特徴とし、仕切板によって複数個の可動接触子の間が電気的に絶縁されるので、複数個の可動接触子の間の絶縁距離を大きくとれるという効果がある。
【００４８】
請求項７の発明は、請求項１乃至６の発明において、可動接点に電気的に接続され第１の端子ねじが螺合する第１の端子板と、固定接点に電気的に接続され第２の端子ねじが螺合する第２の端子板とを、ケースの高さ方向において位置をずらした状態で、両端子板にねじ止めされる電線が引き出される方向に並べて配置し、ケースの高さ方向において下側に対置された端子板を、上側に配置された端子板に電線が接続された状態でも斜め上方から端子ねじに工具を挿入できるように、上側に配置された端子板に対して傾斜させたことを特徴とし、第１及び第２の端子板はケースの高さ方向において位置をずらした状態で配置されているので、第１及び第２の端子板を同一平面内に並設する場合に比べて、第１及び第２の端子板の設置スペースを小さくでき、且つ、第１及び第２の端子板の内、下側の端子板を、上側の端子板に電線が接続された状態でも斜め上方から端子ねじに工具を挿入できるように、上側の端子板に対して傾斜させているので、斜め上方から下側の端子板に螺合された端子ねじにドライバなどの工具を差し込むことができ、ねじ締めの確認を容易に行えるという効果がある。
【図面の簡単な説明】
【図１】実施形態１のリモコンリレーの分解斜視図である。
【図２】同上のカバーを外した状態の一部破断せる側面図である。
【図３】同上の上面図である。
【図４】同上の左側から見た側面図である。
【図５】同上の右側から見た側面図である。
【図６】同上に用いる連動レバーを示し、（ａ）は正面図、（ｂ）は側面図である。
【図７】同上に用いる連動レバーの要部拡大図である。
【図８】同上に用いる電磁石ブロックの外観斜視図である。
【図９】同上の内部回路図である。
【図１０】実施形態２のリモコンリレーの分解斜視図である。
【図１１】同上のカバーを外した状態の一部破断せる側面図である。
【図１２】同上に用いる電磁石ブロックの外観斜視図である。
【図１３】実施形態３のリモコンリレーのカバーを外した状態の一部破断せる側面図である。
【図１４】同上の上面図である。
【図１５】同上の左側から見た側面図である。
【図１６】同上の右側から見た側面図である。
【図１７】同上の使用状態を説明する説明図である。
【図１８】別のリレーの一部省略せる分解斜視図である。
【図１９】同上に用いる補助接点ブロックを示し、（ａ）は外観斜視図、（ｂ）はベースの上面図である。
【図２０】また別のリレーの一部省略せる分解斜視図である。
【図２１】同上に用いる補助接点ブロックを示し、（ａ）は外観斜視図、（ｂ）はベースの上面図である。
【図２２】従来のリモコンリレーの分解斜視図である。
【図２３】同上のカバーを外した状態の一部破断せる側面図である。
【図２４】同上の電磁石ブロックの外観斜視図である。
【図２５】同上の使用状態を説明する説明図である。
【符号の説明】
１０  ケース
２０  電磁石装置
２５  コイル
２６  コイル枠
２６ａ  支持片
２６ｃ  軸挿通孔
２７  プランジャ
３１  連動レバー
３１ｇ  絶縁壁
３３  軸ピン
４０  可動接触子
４１  可動接点
５１  固定接点
【図１】
0003941306.tif 000002
【図２】
0003941306.tif 000003
【図３】
0003941306.tif 000004
【図４】
0003941306.tif 000005
【図５】
0003941306.tif 000006
【図６】
0003941306.tif 000007
【図７】
0003941306.tif 000008
【図８】
0003941306.tif 000009
【図９】
0003941306.tif 000010
【図１０】
0003941306.tif 000011
【図１１】
0003941306.tif 000012
【図１２】
0003941306.tif 000013
【図１３】
0003941306.tif 000014
【図１４】
0003941306.tif 000015
【図１５】
0003941306.tif 000016
【図１６】
0003941306.tif 000017
【図１７】
0003941306.tif 000018
【図１８】
0003941306.tif 000019
【図１９】
0003941306.tif 000020
【図２０】
0003941306.tif 000021
【図２１】
0003941306.tif 000022
【図２２】
0003941306.tif 000023
【図２３】
0003941306.tif 000024
【図２４】
0003941306.tif 000025
【図２５】
0003941306.tif 000026